(57)【要約】【課題】立体映像表示技術を応用し、操作パネルの表示の立体感をより明確にして、タッチボタンの操作状態を明確に認識し得る立体的表示型操作パネルを提供する。【解決手段】タッチボタンを表示する画像パネル１５０と両眼視差効果を生じさせる遮光バリア１６０とからなる立体映像表示器１０５と、バックライト１４０と、タッチパネルセンサー１７０と、タッチパネルセンサーからの位置情報に基づいて立体映像表示器を制御する制御回路１９０とを備える。制御回路は遮光バリアの遮光を部分的に制御し、立体映像表示器にタッチボタンを立体映像表示し、タッチボタンへの操作をタッチパネルセンサーで感知した場合、タッチパネルセンサーからの位置情報に基づいてボタンが押下された状態の表示に変更する。【選択図】      図１
2004272354.tif 000002
【特許請求の範囲】
【請求項１】
タッチボタンを表示する画像パネルと、両眼視差効果を生じさせる遮光バリアとからなる立体映像表示器と、バックライトと、タッチパネルセンサーと、該タッチパネルセンサーからの位置情報に基づいて上記立体映像表示器を制御する制御回路とを備え、
前記制御回路は前記遮光バリアの遮光を部分的に制御する機能を含み、前記立体映像表示器にタッチボタンを立体映像で表示するとともに、該タッチボタンへの操作を上記タッチパネルセンサーで感知した場合、該タッチパネルセンサーからの位置情報に基づき、前記制御回路により操作されたタッチボタンの立体映像の表示を、ボタンが押下された状態の表示に変更するようになしたことを特徴とする立体表示型操作パネル。
【請求項２】
前記タッチボタンは操作者によって操作し得る複数のボタンから構成し、操作されたタッチボタンに対応する表示を前記制御回路により部分的に制御するようになしたことを特徴とする請求項１に記載の立体表示型操作パネル。
【請求項３】
前記制御回路は、前記タッチボタンへの操作を感知した場合に前記遮光バリアの遮光制御をタッチボタンの操作前の状態に維持することを特徴とする請求項１または２に記載の立体表示型操作パネル。
【請求項４】
前記制御回路は、前記タッチボタンへの操作を感知した場合に、該操作されたタッチボタンに対応する部分の前記遮光バリアの遮光を制御し、該操作されたタッチボタンの映像を近似的平面表示に変更することを特徴とする請求項１または２に記載の立体表示型操作パネル。
【請求項５】
前記タッチボタンの表示用画素は、立体表示用画素と平面表示用画素を備え、前記制御回路は、前記タッチボタンへの操作を感知した場合に、該操作されたタッチボタンに対応する部分の前記遮光バリアの遮光を制御し、該操作されたタッチボタンの映像を平面表示状態に変更するとともに、前記平面表示用画素に変更することを特徴とする請求項１または２に記載の立体表示型操作パネル。
【請求項６】
前記制御回路は、前記操作パネルセンサーによりボタンへの操作が終了したことを感知した場合に、前記操作されたタッチボタンの表示を操作前の表示状態に復帰することを特徴とする請求項１ないし５の何れか１項に記載の立体表示型操作パネル。
【発明の詳細な説明】
【０００１】
【発明の属する技術分野】
本発明は自動預け払い機（ＡＴＭ、ＣＤ）等の銀行端末や自動券売機、自動販売機等に使用される液晶操作パネルに関し、特に液晶パネルに表示されるタッチ式押しボタン（以下、タッチボタンと略称する）を、見易くかつタッチボタンの操作状況を認識しやすく立体的に表示するようになした立体表示型操作パネルに関する。
【０００２】
【従来の技術】
従来、操作パネルにタッチボタンを表示し、そのボタンを指で操作する（タッチする）と、あたかも押しボタンを機械的に押下したように、操作されたその表示を変化させる液晶操作パネルとして、タッチボタンの周囲に影を付けて立体的に見えるようにし、このタッチボタンへの操作に応じて、その影を変化させるように構成したものがあった。（例えば、特許文献１参照。）
図９は、上記特許文献１に開示された従来の液晶操作パネルのタッチボタンを示すもので、液晶パネルに複数のタッチボタン１２を表示し、擬似的立体表示とするため、各タッチボタン１２に影１３を付して表示するように構成したものである。この液晶パネルはアクリル板やガラス等の保護カバー１０に設けた開口部１１の領域に表示され、図示しないタッチセンサーによりタッチボタンの操作（タッチ）を検出するように構成され、操作されたタッチボタン１２の影１３を他のタッチボタン１２の影１３より短く表示して、あたかも操作したタッチボタンが押下されたかのよう表示して操作者に操作状態を認識し易くするものであった。
【０００３】
また、一方、従来から、左右両眼の見え方の相違、いわゆる両眼視差から立体像を感知する人間の目の特性を利用した「パララックスバリア方式」と称される立体映像表示装置が知られていた（例えば、特許文献２参照）。この立体映像表示装置は、特殊な眼鏡を使用することなく立体映像を観察することができるものである。
【０００４】
図１０は、上記特許文献２に開示されたパララックスバリア方式の立体映像表示装置の原理を示す概念図である。この立体映像表示装置は、バックライト３０の上側に配置された液晶表示パネル等の画像パネル２７と、画像パネル２７の上側に設置された遮光バリア４０とから構成されている。画像パネル２７に右目用画素２８と左目用画素２９とを交互に表示し、遮光バリア４０（一般的にパララックスバリアと称される）に形成した細孔（開口部）４２を介して観察者の右目２５で右目用画素２８を、左目２６で左目用画素２９を観察することによって両眼視差効果による立体映像を観察することができる。右目用画素２８、左目用画素２９は例えば２台のカメラで被写体を撮影して得られる画像データである。
【０００５】
遮光バリア４０に形成される細孔は、画像パネル２７の画素の間隔に対応して図中の間隔Ｐで等間隔に形成されている。左右両眼２５、２６の間隔をＥ、この両眼から遮光バリア４０までの距離をＡ、遮光バリア４０と画像パネル２７との間隔をＤとした場合、幾何学的な構成として、比例式  Ａ：Ｅ＝Ｄ：Ｂ、および比例式  Ａ：Ｐ＝（Ａ＋Ｄ）：２Ｂ  の両式を満足させるように、距離Ａ、および間隔Ｐを選定すれば、図中の線５１、５２で示されているように、細孔４２を透して右目２５からは右目用画素２８が見え、左目２６からは左目用画素２９が見える構成になる。通常この遮光バリア４０には、遮光部の遮光機能を制御し得る液晶スイッチ等が使用される。
【０００６】
【特許文献１】
特開２０００−９９２３７号公報
【０００７】
【特許文献２】
特開平７−３２２３０５号公報（第９図）
【０００８】
【発明が解決しようとする課題】
しかしながら、上記特許文献１に開示された従来の方式では、単なる二次元映像で表示されたタッチボタンに影を付けて表示し、見る人の錯覚により立体的に観察されるようにしていただけであり、操作前の見え方と操作時の見え方の相違が実際の機械式押しボタン（３次元構造の押しボタン）を操作した場合のように明瞭に認識できないという問題点があった。
【０００９】
本願の発明者は、上記の問題点を解消すべく種々検討を重ねた結果、前記立体映像表示装置の技術を応用し、タッチボタンを立体表示するとともに、操作されたタッチボタンの表示を、ボタンが押下された状態の表示に変更するようになすことによって、操作パネルの立体感がより明確になり、かつ、操作されたタッチボタンの操作前後の違いを一層明確に認識できることを見出し、本発明を完成するに至ったものである。
【００１０】
すなわち、本発明は上記の問題点を解決することを課題とし、立体映像表示技術を応用し、操作パネルの表示の立体感をより明確にするとともに、タッチボタンの操作状態を明確に認識し得る立体表示型操作パネルを提供することを目的とする。
【００１１】
【課題を解決するための手段】
本発明の上記目的は以下の構成により達成できる。すなわち、本発明の立体表示型操作パネルは、タッチボタンを表示する画像パネルと、両眼視差効果を生じさせる遮光バリアとからなる立体映像表示器と、バックライトと、タッチパネルセンサーと、該タッチパネルセンサーからの位置情報に基づいて上記立体映像表示器を制御する制御回路とを備え、前記制御回路は前記遮光バリアの遮光を部分的に制御する機能を含み、前記立体映像表示器にタッチボタンを立体映像で表示するとともに、該タッチボタンへの操作を上記タッチパネルセンサーで感知した場合、該タッチパネルセンサーからの位置情報に基づき、前記制御回路により操作されたタッチボタンの立体映像の表示を、ボタンが押下された状態の表示に変更するようになしたことを特徴とする。
【００１２】
また、前記タッチボタンは操作者によって操作し得る複数のボタンから構成し、操作されたタッチボタンに対応する表示を前記制御回路により部分的に制御するようになしたことを特徴とし、更に、前記制御回路は、前記タッチボタンへの操作を感知した場合に、前記遮光バリアの遮光の制御をタッチボタンの操作前の状態に維持することを特徴とする。
【００１３】
更に、前記制御回路は、前記タッチボタンへの操作を感知した場合に、該操作されたタッチボタンに対応する部分の前記遮光バリアの遮光を制御し、該操作されたタッチボタンの映像を近似的平面表示に変更することを特徴とする。
【００１４】
また、更に、前記タッチボタンの表示用画素は、立体表示用画素と平面表示用画素を備え、前記制御回路は、前記タッチボタンへの操作を感知した場合に、該操作されたタッチボタンに対応する部分の前記遮光バリアの遮光を制御し、該操作されたタッチボタンの映像を平面表示に状態に変更するとともに、前記平面表示用画素に変更することを特徴とする。
【００１５】
また、前記制御回路は、前記タッチパネルセンサーによりボタンへの操作が終了したことを感知した場合に、前記操作されたタッチボタンの表示を操作前の表示状態に復帰することを特徴とする。
【００１６】
係る構成の立体表示型操作パネルによれば、立体映像表示装置の技術を応用することにより、観察者の目に実際の機械式押しボタンと同じに見えるようにタッチボタンを立体映像で表示し、操作者によって操作されたタッチボタンの表示を該タッチボタンが押下された状態の表示に変更するので、操作者は操作したボタンを容易に認識できる。
【００１７】
また、係る構成の立体表示型操作パネルによれば、複数のタッチボタンの表示にも利用でき、更に、操作されたタッチボタンの部分における上記遮光バリアの遮光制御機能をスイッチＯＮの状態に維持したまま、上記画像パネルの立体表示用画素を変更するだけでタッチボタンが押下された状態の表示に変更することができる。
【００１８】
また、画像パネルの立体表示用画素を変更することなく、上記操作されたタッチボタンの部分における上記遮光バリアの遮光制御機能をスイッチＯＦＦの状態に変更することにより、上記立体映像用画素を近似的平面画像（近似的な２次元画像）として簡便に表示することができる。
【００１９】
また、上記操作されたタッチボタンの部分において、上記制御回路の制御により画像パネルの表示を立体表示用画素から平面表示用画素に変更するとともに上記遮光バリアの遮光制御機能をスイッチＯＦＦの状態に変更することにより、平面画像として表示できる。この場合、平面表示専用の画素を用いるので、タッチボタンの画像も鮮明となり、また２種類の立体映像用画素を準備する必要がないので、構成を簡単化することができる。
【００２０】
また、上記タッチボタンへの操作者の操作が終了する（タッチ状態が解消される）と、タッチボタンの立体表示が操作前の状態の表示に戻るので、操作者は複数のタッチボタンを見間違うことなく次々に操作できる。
【００２１】
係る立体表示型操作パネルは、立体めがね等の特別の用具を必要としないので、不特定多数の操作者を対象とする銀行の現金自動預け払い機、駅の券販機（自動切符販売機）、その他の操作パネルに好適に応用でき、また、タッチパネルと画像パネルとの間に遮光バリアを介在させる構成とするだけであるからコンパクトに製品化が可能である。
【００２２】
【発明の実施の形態】
以下、図面を参照しながら本発明の第１実施例としての立体表示型操作パネルを詳細に説明する。
【００２３】
図１は本発明の第１実施例の立体表示型操作パネルの斜視構成を示す概念図、図２は第１実施例の遮光バリアの多層構造を示す図、図３は第１実施例における操作パネルと主要回路部分との接続を示すブロック図、図４は第１実施例における数字入力領域のタッチ操作前を示す平面図、図５は第１実施例の動作を示すフローチャート、図６は第１実施例における数字入力領域のタッチ操作時を示す平面図である。
【００２４】
図１において、立体表示型操作パネル１００は、バックライト１４０、液晶表示パネル等の画像パネル１５０と遮光バリア１６０からなる立体映像表示器１０５、タッチパネルセンサー１７０、保護カバー１０１を積層して構成されている。保護カバー１０１は透明なアクリル板上にアルミ板を積層して構成され、アルミ板には映像が表示される部分に応じた位置に開口１１２、１２２、１３２が設けられている。この保護カバー１０１はアクリル板等の透明な素材のみで構成することもでき、その場合、開口１１２、１２２、１３２を設ける必要はない。
【００２５】
開口１１２、１２２、１３２に対応する表示領域１１０、１２０、１３０には、これに限られるものではないが、それぞれ、本操作パネルの操作案内、操作開始ボタン、タッチボタンが表示される。操作案内は例えば銀行の自動預け払い機であれば、預金や引き出し、振込等の文字が表示される。この操作案内は取引種別を一覧に表示する形態でもよく、操作開始ボタンの操作によって順次取引種別が表示される形態であってもよい。前者の場合必ずしも操作開始ボタンは必要としない。タッチボタンは、選択した取引種別における金額入力を行うためのボタンであり、０〜９の数字ボタンや万円、千円といった単位ボタンが表示される。また、駅の自動券売機であれば、操作案内がなく、目的駅までの駅名と金額がセットになったボタンや金額ボタンが表示される。
【００２６】
本操作パネルにおいては、部分的に平面表示と立体表示を用いることができる。例えば、操作案内の表示は平面表示用画素を用いて２次元表示し、タッチボタンは立体表示用画素を用いて立体表示する構成とすることができる。この場合、平面表示する部分に対応する遮光バリアの領域を常に透過状態（対向電極を設けず）に制御されるように構成すればよい。
【００２７】
バックライト１４０は、通常の液晶表示装置に使われているものと同等のものであり、画像パネル１５０も従来の液晶表示パネル等の画像と同等のものであって、タッチボタンの大きさに対応して所定部分にタッチボタンの立体表示用画素ないし平面表示用画素を選択的にかつ部分的に表示可能に構成されている。
【００２８】
遮光バリア１６０は、図２に示されているように、２枚の透明な偏光板１６２、１６４と、この２枚の偏光板の間にサンドイッチ状に挟まれた偏光面切替用スイッチ液晶板１６６とパララックスバリア用位相差板１６８で構成され、保護用の透明ガラス板１６１、１６９によって上面と下面から一体に固着されている。スイッチ液晶板１６６は電源のＯＮ、ＯＦＦによって偏光板１６２からの光の偏向面を「４５度の回転」、「回転無し」に切り替える。また、パララックスバリア用位相差板１６６には、パララックスバリアの細孔に相当する複数の細片状領域が所定の間隔で形成されており、またこの領域と間隔は互に配向方向が９０度異なるように高分子液晶を並べた状態で硬化して形成されている。
【００２９】
遮光バリア１６０は、同図の矢印で示されている下方からの光が照射されると、スイッチ液晶板１６６に設けた一対の電極の一方への電圧印加のＯＮ、ＯＦＦによって、偏光板１６４の上からは、上記間隔が不透明になったり、透明になったりして見える。この不透明になる場合に、遮光バリア１６０は、パララックスバリアとしての機能を果たす。従って、本操作パネルにおいて、部分的に立体映像表示を行う場合、電圧印加のＯＮ、ＯＦＦを部分的に制御し得るように対向電極を形成すればよく、遮光バリア制御回路で立体表示を行う部分の対向電極への電圧印加を選択的にＯＮ、ＯＦＦすればよい。
【００３０】
タッチパネルセンサー１７０は、通常の透明な樹脂層内に同じく透明な導電性樹脂からなる複数本の横線とこれに対応する同じく透明な導電性樹脂からなる複数本の縦線とで構成され、操作者に操作された部分の横線と縦線との静電容量の変化による該当部分の位置情報を後述のタッチパネルセンサー制御回路に送る。なお、タッチパネルセンサーとしてその他の構造のものを使用しても良い。
【００３１】
次に、この立体表示型操作パネル１００の制御回路１９０について説明すると、図３に示すように、その各層は、電源１８０および制御回路１９０に接続されている。同図において、電源１８０は、バックライト１４０、主制御回路１９１、その他に電力を供給している。制御回路１９０は、主制御回路１９１、画像パネル駆動回路１９５、遮光バリア制御回路１９６、タッチパネルセンサー制御回路１９７から構成され、主制御回路１９１は、中央演算処理装置（ＣＰＵ）を内蔵し、内蔵のプログラム、同じく内蔵の画像データ、および各制御回路ないし駆動回路からの情報に基づき、画像パネル駆動回路１９５、遮光バリア制御回路１９６を制御し、これらの回路を介して立体映像表示器１０５を動作させるように構成されている。
【００３２】
タッチパネルセンサー制御回路１９７は、主制御回路１９１とタッチパネルセンサー１７０との間に接続され、操作者が指でタッチすることにより操作したタッチボタンの位置情報、操作されていないタッチボタンの位置情報を主制御回路１９１に送出する。
【００３３】
画像パネル駆動回路１９５は、主制御回路１９１と画像パネル１５０との間に接続され、主制御回路１９１の制御信号に基づいて画像パネル１５０に画像を表示する制御を行う。
【００３４】
タッチパネルセンサー１７０からの上記位置情報に基づく主制御回路１９１の制御信号により操作者の操作に対応した画像、すなわち、操作されたタッチボタンの表示画素を切り替えて当該タッチボタンが押下された状態の立体映像を表示する。具体的には操作されたタッチボタンの映像の見掛け上の高さを低くした立体表示用画素を表示し、操作されていないタッチボタンは同じく押下前の状態、すなわち、押下前の高さの立体映像を表示する。従って、この実施形態においては、タッチボタンを構成する複数のボタンの立体表示用画素としては、それぞれのボタンについて、押下前の立体表示用画素と押下された状態の立体表示用画素を用意しておき切り替えて表示することになる。
【００３５】
遮光バリア制御回路１９６は主制御回路１９１と遮光バリア１６０との間に接続され、主制御回路１９１の制御信号に基づいて、遮光バリア１６０のスイッチ液晶板１６６をＯＮ、ＯＦＦ制御（一対の電極の一方への電圧印加を制御）するように構成される。すなわち、主制御回路１９１の制御信号に基づいて、表示領域１２０、１３０に対応するスイッチ液晶板１６６の部分を遮光状態（対向電極への電圧印加ＯＮ）に維持し、部分的にパララックスバリアとしての機能を発揮するように構成されている。
【００３６】
言い換えれば、図１の立体表示型操作パネル１００において、表示領域１１０は平面表示状態であり、操作者がこの領域の表示を指でタッチしても、この部分の立体映像表示器１０５における遮光バリア１６０は、上記構成により特に動作することなく単に透過状態に保たれ、この領域での画像パネル１５０による表示は平面表示されるだけである。これにより操作者にはタッチボタン部分の立体表示がより際立って観察されるようになる。
【００３７】
表示領域１２０、１３０は立体表示状態であり、対応する遮光バリア１６０のスイッチ液晶板１６６の部分は、主制御回路１９１の制御に基づいて遮光状態（対向電極への電圧印加ＯＮ）にされ立体表示するように構成されている。
【００３８】
次に、図５のフローチャートを参照しながら本発明の第１実施例の動作を説明する。
【００３９】
電源１８０がＯＮされ、この立体表示型操作パネル１００の各部分に電源が供給される。前述したように表示領域１１０は平面表示、表示領域１２０、１３０は立体表示の状態に制御されている。表示領域１３０には図４に示すように複数の数字入力のためのボタン１３５からなるタッチボタンが立体表示されている。
【００４０】
図５のフローチャートにおいて、まず、操作者が、表示領域１２０に表示された操作開始ボタン１２５（図１参照）を操作して、操作開始の入力をすると、タッチパネルセンサー１７０がこれを感知し、その位置情報をタッチパネルセンサー制御回路１９７に送る。この結果、主制御回路１９１が画像パネル駆動回路１９５を介して表示領域１１０に次の操作に必要な操作案内を表示させ、操作者はこの案内に従い、数字入力用タッチボタン１３５を押下して次の作業を進めることができる。
【００４１】
ステップＳ１０１では、表示領域１３０に表示されたタッチボタンは図４に示されているように全てが立体映像で表示されている。次にステップＳ１０２で、左下隅のタッチボタン１３５が操作者の指で操作されると、操作されたタッチボタン（以下、被タッチボタンと略称する）の部分では、タッチパネルセンサー１７０がこれを感知して、このボタンの位置情報をタッチパネルセンサー制御回路１９７を介して主制御回路１９１に送る。
【００４２】
ステップＳ１０３ではこの結果、主制御回路１９１は、所定のプログラムにしたがって、画像パネル駆動回路１９５を介して、画像パネル１５０における前述の被タッチボタンに相当する表示をボタンが押下された状態、すなわち、ボタンの表示高さを低くした状態に変更する。この結果、被タッチボタンは、図６で示されているように被タッチボタンの立体映像の高さが、指で押下されたように低く表示されるので、操作者はあたかも機械式押しボタン（３次元構造の押しボタン）を押下したように、明確に被タッチボタンを認識できる。
【００４３】
ステップＳ１０４では、操作された状態が続く限り、被タッチボタンの立体映像表示の高さは低いままで、次の操作への待機状態が維持され、操作者がこの被タッチボタンから指を離す（操作が終了される）と、タッチパネルセンサー１７０がこれを感知して、この操作情報をタッチパネルセンサー制御回路１９７を介して主制御回路１９１に送る。
【００４４】
この結果、ステップＳ１０５で、主制御回路１９１は、所定のプログラムに従って画像パネル駆動回路１９５を介して、被タッチボタンの表示を操作前の表示状態に戻し、ステップＳ１０２の待機状態に戻る。
【００４５】
次に、本発明の第２実施例である立体的表示型操作パネルを説明する。図７は本発明の第２実施例の動作を示すフローチャート、図８は第２実施例におけるタッチボタンの操作時の状態を示す平面図である。
【００４６】
上述の第１実施例は、操作されたタッチボタンの立体映像表示の見掛け上の高さを変更するように構成したものであり、画像パネル１５０の立体表示用画素を操作時と非操作時の２種類用意しておくものであった。第２実施例は、タッチボタン画像を立体表示用画素と平面表示用画素との組合せによる構成とし、操作されたボタンの表示を押下された状態の表示として平面表示に変更するようになしたものである。
【００４７】
なお、実施例２における制御回路は、実施例１の図３に示されている制御回路と同じ構成であるが、タッチボタンが操作された際のボタンの部分を立体表示から平面表示に制御を切り替え、平面表示用画素を表示するように制御する点が異なる。すなわち、タッチパネルセンサー１７０からの上記位置情報に基づく主制御回路１９１の制御信号により操作されたボタンに対応した画像を平面表示用画素に切り替えて画像パネル１５０に表示するように構成されている。また、タッチパネルセンサー１７０からの位置情報に基づく主制御回路１９１の制御信号により、スイッチ液晶板１６６の操作されたボタンに対応した部分を遮光状態から透過状態に変更するよう制御するように構成されている。
【００４８】
図７のフローチャートにより、その動作を説明する。図７のフローチャートのステップＳ２０１、Ｓ２０２での動作は、第１実施例の場合と同様である。
【００４９】
ステップＳ２０３で第１実施例と同様に左下隅のタッチボタン（図４参照）が操作者された場合、主制御回路１９１は、所定のプログラムにしたがって、画像パネル駆動回路１９５を介して、画像パネル１５０における前述の被タッチボタンに相当する部分画像を立体表示用画素から平面表示用画素に切り替える。
【００５０】
ステップＳ２０４で、主制御回路１９１は、所定のプログラムにしたがって遮光バリア制御回路１９６を介してスイッチ液晶板１６６における前述の被タッチボタンの部分を遮光状態から透過状態に切り替えるので、この結果、被タッチボタンの部分は、タッチされると同時に図８に示されているようにその周囲も含めて立体表示から平面表示に切り替わるので、操作者はあたかも機械式押しボタンを操作したように、明確に被タッチボタンの押下を認識できる。
【００５１】
ステップＳ２０５では被タッチボタンの表示は、平面表示のままで、次の操作への待機状態を維持する。次にステップＳ２０６で、被タッチボタンから指を離し操作が終了すると、タッチパネルセンサー１７０がこれを感知して、この位置情報をタッチパネルセンサー制御回路１９７を介して主制御回路１９１に送る。
【００５２】
この結果、主制御回路１９１は、所定のプログラムにしたがって、画像パネル駆動回路１９５を介して、画像パネル１５０における前述の被タッチボタンに相当する部分の平面画像表示を立体映像表示に戻す。また、同時に主制御回路１９１は、所定のプログラムにしたがって遮光バリア制御回路１９６を介してスイッチ液晶板１６６の該当部分を透過状態から遮光状態に戻して立体表示状態に復帰させ、ステップＳ２０２に戻る。この結果、被タッチボタンは、指が離される（操作が終了する）と立体映像表示に戻るので、操作者はあたかも機械式押しボタンから指を離したように認識できる。
【００５３】
上記実施例２においては、画像パネル１５０における被タッチボタンの表示を立体表示用画素から平面表示用画素に切り替えているが、表示画面の質が問題にならない場合には、立体表示用画素のみを用意しておき、操作されたボタンの部分を平面表示にすることができる。この場合はその部分の遮光バリアが平面表示状態に制御されるので、立体表示用画素であっても立体映像として観察されず、画質が低下するものの擬似的平面画像として観察される。
【００５４】
詳細には、操作されたタッチボタンをタッチパネルセンサー１７０で感知した場合に、制御回路１９０の制御により画像パネル１５０の立体映像用画素を変更することなく、遮光バリア１６０のパララックスバリアを透過状態（スイッチＯＦＦ）に変更することにより立体表示用画素が近似的平面画像として表示されるようになる。
【００５５】
【発明の効果】
以上詳細に説明したように、本発明の立体表示型操作パネルによれば、タッチボタンを立体映像で表示するとともに、操作されたタッチボタンの表示をボタンが押下された状態の表示に変更するようになしたものであるから、機械式押しボタン（３次元構造の押しボタン）と同様に操作したボタンを明瞭に認識することができる。
【００５６】
また、操作されたボタンの表示を立体表示から平面表示へ切り替えで行うように形成すれば、立体表示用画素を切り替えるよりも簡単に構成でき、また、タッチパネルと画像パネルの間に遮光バリアを介在させるものであるから、操作パネル全体もコンパクトに構成できる。
【図面の簡単な説明】
【図１】本発明の第１実施例の立体表示型操作パネルの概略構成を示す図である。
【図２】遮光バリアの構成を示す図である。
【図３】制御回路の構成と操作パネルの各部と接続状態を示すブロック図である。
【図４】操作前のタッチボタンの表示の状態を模式的に示す図である。
【図５】図１の第１実施例の動作を示すフローチャートである。
【図６】操作後のタッチボタンの表示の状態を模式的に示す図である。
【図７】本発明の第２実施例の動作を示すフローチャートである。
【図８】第２実施例における操作後のタッチボタンの表示の状態を模式的に示す図である。
【図９】従来の立体表示型操作パネルを模式的に示す平面図である。
【図１０】従来の立体映像表示装置の原理を示す模式図である。
【符号の説明】
１００  立体表示型操作パネル
１１０、１２０、１３０  表示領域
１０５  立体映像表示器
１４０  バックライト
１５０  画像パネル
１６０  遮光バリア
１６２  透明な偏光板
１６６  スイッチ液晶板
１６８  パララックスバリア用位相差板
１７０  タッチパネルセンサー
１８０  電源
１９０  制御回路
１９１  主制御回路
１９５  画像パネル駆動回路
１９６  遮光バリア制御回路
１９７  タッチパネルセンサー制御回路
【図１】
2004272354.tif 000003
【図２】
2004272354.tif 000004
【図３】
2004272354.tif 000005
【図４】
2004272354.tif 000006
【図５】
2004272354.tif 000007
【図６】
2004272354.tif 000008
【図７】
2004272354.tif 000009
【図８】
2004272354.tif 000010
【図９】
2004272354.tif 000011
【図１０】
2004272354.tif 000012